(57)【要約】【課題】端子を安定した状態でボビンに固定し、端子のコイル接続部でのコイルの弛みを確実に確保して、端子のコイル接続部における電気的接続不良の発生を防止することができる可動磁石式計器およびその製造方法を提供すること。【解決手段】ボビン１内に磁石４を設け、このボビン１にコイル７、８を巻回し、このボビン１の周側部に端子取付部９を設け、この端子取付部９に端子１０を圧入し、この端子１０の一端側にコイル７、８を電気的に接続した可動磁石式計器であって、端子１０にその圧入方向に複数設けられ端子取付部９に圧入状態で固定される複数の凸部１７を設けたものである。【選択図】  図１
2004151033.tif 000002
【特許請求の範囲】
【請求項１】
ボビン内に磁石を設け、このボビンにコイルを巻回し、このボビンの周側部に端子取付部を設け、この端子取付部に端子を圧入し、この端子の一端側に前記コイルを電気的に接続した可動磁石式計器であって、前記端子にその圧入方向に複数設けられ前記端子取付部に圧入状態で固定される複数の凸部を設けたことを特徴とする可動磁石式計器。
【請求項２】
ボビン内に磁石を設け、このボビンにコイルを巻回し、このボビンの周側部に端子取付部を設け、この端子取付部に端子を圧入し、この端子の一端側に前記コイルを電気的に接続した可動磁石式計器であって、前記端子がその圧入方向に分離形成された複数の凸部を有し、これら複数の凸部を介して前記端子が前記端子取付部に圧入固定されたことを特徴とする可動磁石式計器。
【請求項３】
請求項１または請求項２に記載の可動磁石式計器において、前記端子の複数の凸部の形状が互いに異なることを特徴とする可動磁石式計器。
【請求項４】
請求項１または請求項２に記載の可動磁石式計器において、前記端子の形状を前記圧入方向に対して前後対称形状に形成したことを特徴とする可動磁石式計器。
【請求項５】
ボビン内に磁石を設け、このボビンの周側部に端子取付部を設け、この端子取付部に端子を圧入し、前記ボビンにコイルを巻回し、前記端子の一端側に前記コイルを電気的に接続した可動磁石式計器の組付方法であって、前記端子にはその圧入方向に
複数の凸部が設けられ、前記ボビンの端子取付部への端子の圧入に際し、前記端子に設けた複数の凸部の内、少なくとも１個の凸部を圧入し、少なくとも１個の凸部は圧入しない状態で、端子の圧入側とは反対側の端部と前記コイルの端部とを接続し、その後、端子を所定の位置まで圧入し、端子に設けた複数の凸部の内、少なくとも２個の凸部が端子取付部に圧入状態で固定されるようにすることを特徴とする可動磁石式計器の組付方法。
【請求項６】
ボビン内に設けられた磁石と、このボビンの外周に巻かれたコイルと、このボビンの周側部に設けられた端子取付部に圧入され前記コイルと電気接続される端子とを有する可動磁石式計器の組付方法であって、前記端子にその圧入方向に分離形成される複数の凸部を設け、前記ボビンの端子取付部への前記端子の圧入に際し、前記端子に設けた複数の凸部の内、少なくとも１個の凸部を圧入し、少なくとも１個の凸部は圧入しない状態で、端子の圧入側とは反対側の端部と前記コイルの端部とを接続し、その後、端子を所定の位置まで圧入し、端子に設けた複数の凸部の内、少なくとも２個の凸部が端子取付部に圧入状態で固定されるようにすることを特徴とする可動磁石式計器の組付方法。
【発明の詳細な説明】
【０００１】
【発明の属する技術分野】
本発明は、自動車や二輪車などの車両に装備される速度計や回転計などの指示計器として使用する可動磁石式計器およびその組付方法に関するものである。
【０００２】
【従来の技術】
一般にこの種の計器は、図４に示すように合成樹脂製のボビン３１内に磁石３２を設け、この磁石３２に指針軸３３を固定し、この指針軸３３を前記ボビン３１の上部中央に突設した筒部３４から挿出し、前記ボビン３１にコイル３５を交差状に巻回すると共に、ボビン３１の周側部に一体形成された脚部３６に棒状の端子３７を貫通状態で固定し、この端子３７に前記コイル３５の端部を電気的に接続し、前記ボビン３１を周側部３８と下面部３９からなる磁性金属材料製有底筒状の磁気シールドケース４０内に全体的に収納して地磁気などの磁気的外乱要因を遮断し、前記端子３７を回路基板４１に電気的に接続し、前記コイル３５に流れる電流量に応じて発生する合成磁界により前記磁石３２を角度運動させるように構成されている。
【０００３】
そして、このような可動磁石式計器において、コイル３５を回路基板４１に電気的に接続するために使用する端子３７に関して、また、この端子３７とコイル３５の端部との接続部での接続不良を防止して端子３７を安定状態でボビン３１に固定させるための構成について、色々な検討がなされている。（例えば、特許文献１、２参照）
【０００４】
【特許文献１】
特開昭６３−８５３６６号公報
【特許文献２】
特開２００２−７１７２１号公報（図４）
【０００５】
その一例としては、特許文献１に開示されているように、ボビンの脚部に棒状端子の胴部を所定の仮止め位置まで圧入し、コイルの引き出し線を端子の半田付け部に巻き付けて半田付けした後、端子の胴部をさらに所定の貫挿位置まで圧入したものである。
【０００６】
また、特許文献２に開示されたものは、図５、図６に図示したように、コイル絡げ部４４と凸部４３とをプレスによりつぶし加工を行った棒状端子４２をボビン３１に圧入固定したものである。
【０００７】
【発明が解決しようとする課題】
しかしながら、特許文献１に開示されたものは、ボビンに圧入される端子の胴部が一定の外形寸法となっており、端子の圧入固定状態が確実かつ強固な嵌合状態となっておらず、コイルの引き出し線を端子に巻き付けて半田付けする際も最終的に端子を圧入した状態においても端子に外部応力や熱などの不慮の応力が加わると端子の圧入位置が変動し、コイルの引き出し線と端子との接続部に応力が加わり、コイルの引き出し線が引っ張られて断線するなどの問題が発生する恐れがある。
【０００８】
また、特許文献２に開示されたものは、ボビン３１に圧入される端子４２の凸部４３が１個であり、端子４２をボビン３１に圧入固定した際の端子４２の圧入固定状態が安定した嵌合状態となりにくいため、つまり１個の凸部４３を支点にして端子３１が圧入方向と直角方向に傾き易く、この際、コイル３５の引き出し線が引っ張られて端子３１とコイル３５の端部との接続部が断線する恐れがある。
【０００９】
本発明は、前記従来の課題を解決するために、端子を安定した状態でボビンに固定し、端子のコイル接続部でのコイルの弛みを確実に確保して、端子のコイル接続部における電気的接続不良の発生を防止することができる可動磁石式計器およびその組付方法を提供することを目的とする。
【００１０】
【課題を解決するための手段】
本発明は前記目的を達成するため、ボビン内に磁石を設け、このボビンにコイルを巻回し、このボビンの周側部に端子取付部を設け、この端子取付部に端子を圧入し、この端子の一端側に前記コイルを電気的に接続した可動磁石式計器であって、前記端子にその圧入方向に複数設けられ前記端子取付部に圧入状態で固定される複数の凸部を設けたものである。
【００１１】
また、ボビン内に磁石を設け、このボビンにコイルを巻回し、このボビンの周側部に端子取付部を設け、この端子取付部に端子を圧入し、この端子の一端側に前記コイルを電気的に接続した可動磁石式計器であって、前記端子がその圧入方向に分離形成された複数の凸部を有し、これら複数の凸部を介して前記端子が前記端子取付部に圧入固定されたものである。
【００１２】
また、前記端子の複数の凸部の形状が互いに異なるものである。
【００１３】
また、前記端子の形状を前記圧入方向に対して前後対称形状に形成したものである。
【００１４】
また、ボビン内に磁石を設け、このボビンの周側部に端子取付部を設け、この端子取付部に端子を圧入し、前記ボビンにコイルを巻回し、前記端子の一端側に前記コイルを電気的に接続した可動磁石式計器の組付方法であって、前記端子にはその圧入方向に複数の凸部が設けられ、前記ボビンの端子取付部への端子の圧入に際し、前記端子に設けた複数の凸部の内、少なくとも１個の凸部を圧入し、少なくとも１個の凸部は圧入しない状態で、端子の圧入側とは反対側の端部と前記コイルの端部とを接続し、その後、端子を所定の位置まで圧入し、端子に設けた複数の凸部の内、少なくとも２個の凸部が端子取付部に圧入状態で固定されるようにするものである。
【００１５】
また、ボビン内に設けられた磁石と、このボビンの外周に巻かれたコイルと、このボビンの周側部に設けられた端子取付部に圧入され前記コイルと電気接続される端子とを有する可動磁石式計器の組付方法であって、前記端子にその圧入方向に分離形成される複数の凸部を設け、前記ボビンの端子取付部への前記端子の圧入に際し、前記端子に設けた複数の凸部の内、少なくとも１個の凸部を圧入し、少なくとも１個の凸部は圧入しない状態で、端子の圧入側とは反対側の端部と前記コイルの端部とを接続し、その後、端子を所定の位置まで圧入し、端子に設けた複数の凸部の内、少なくとも２個の凸部が端子取付部に圧入状態で固定されるようにするものである。
【００１６】
【発明の実施の形態】
本発明の可動磁石式計器は、ボビン内に磁石を設け、このボビンにコイルを巻回し、このボビンの周側部に端子取付部を設け、この端子取付部に端子を圧入し、この端子の一端側に前記コイルを電気的に接続した可動磁石式計器であって、前記端子にその圧入方向に複数設けられ前記端子取付部に圧入状態で固定される複数の凸部を設けたものである。このように構成したことにより、端子を安定した状態でボビンに固定し、端子のコイル接続部でのコイルの弛みを確実に確保して、端子のコイル接続部における電気的接続不良の発生を防止することができる可動磁石式計器を提供することができる。
【００１７】
また、本発明の可動磁石式計器は、ボビン内に磁石を設け、このボビンにコイルを巻回し、このボビンの周側部に端子取付部を設け、この端子取付部に端子を圧入し、この端子の一端側に前記コイルを電気的に接続した可動磁石式計器であって、前記端子がその圧入方向に分離形成された複数の凸部を有し、これら複数の凸部を介して前記端子が前記端子取付部に圧入固定されたものである。このように構成したことにより、端子を安定した状態でボビンに固定し、端子のコイル接続部でのコイルの弛みを確実に確保して、端子のコイル接続部における電気的接続不良の発生を防止することができる可動磁石式計器を提供することができる。
【００１８】
また、本発明の可動磁石式計器は、前記端子の複数の凸部の形状が互いに異なるものである。このように構成したことにより、端子をより安定した状態でボビンに固定することができる可動磁石式計器を提供することができる。
【００１９】
また、本発明の可動磁石式計器は、前記端子の形状を前記圧入方向に対して前後対称形状に形成したものである。このように構成したことにより、端子形状の方向性をなくすことができ、端子をボビンに圧入する際に非常に作業性の良い可動磁石式計器を提供することができる。
【００２０】
また、本発明の可動磁石式計器の組付方法は、ボビン内に磁石を設け、このボビンの周側部に端子取付部を設け、この端子取付部に端子を圧入し、前記ボビンにコイルを巻回し、前記端子の一端側に前記コイルを電気的に接続した可動磁石式計器の組付方法であって、前記端子にはその圧入方向に複数の凸部が設けられ、前記ボビンの端子取付部への端子の圧入に際し、前記端子に設けた複数の凸部の内、少なくとも１個の凸部を圧入し、少なくとも１個の凸部は圧入しない状態で、端子の圧入側とは反対側の端部と前記コイルの端部とを接続し、その後、端子を所定の位置まで圧入し、端子に設けた複数の凸部の内、少なくとも２個の凸部が端子取付部に圧入状態で固定されるようにするものである。このように構成したことにより、端子を安定した状態でボビンに固定し、端子のコイル接続部でのコイルの弛みを確実に確保して、端子のコイル接続部における電気的接続不良の発生を防止することができる可動磁石式計器の組付方法を提供することができる。
【００２１】
また、本発明の可動磁石式計器の組付方法は、ボビン内に設けられた磁石と、このボビンの外周に巻かれたコイルと、このボビンの周側部に設けられた端子取付部に圧入され前記コイルと電気接続される端子とを有する可動磁石式計器の組付方法であって、前記端子にその圧入方向に分離形成される複数の凸部を設け、前記ボビンの端子取付部への前記端子の圧入に際し、前記端子に設けた複数の凸部の内、少なくとも１個の凸部を圧入し、少なくとも１個の凸部は圧入しない状態で、端子の圧入側とは反対側の端部と前記コイルの端部とを接続し、その後、端子を所定の位置まで圧入し、端子に設けた複数の凸部の内、少なくとも２個の凸部が端子取付部に圧入状態で固定されるようにするものである。このように構成したことにより、端子を安定した状態でボビンに固定し、端子のコイル接続部でのコイルの弛みを確実に確保して、端子のコイル接続部における電気的接続不良の発生を防止することができる可動磁石式計器の組付方法を提供することができる。
【００２２】
【実施例】
以下、本発明の実施例に係わる可動磁石式計器およびその組付方法について、図１乃至図３を参照して説明する。
【００２３】
図１は、本発明の第１の実施例を示す可動磁石式計器の断面図であり、可動磁石式計器は、合成樹脂製のボビン１内に磁石４を設け、この磁石４に指針軸５を固定し、この指針軸５をボビン１の上部中央に突設した筒部６から挿出し、ボビン１にコイル７、８を交差状に巻回すると共に、ボビン１の周側部に一体形成した脚部（端子取付部）９に端子１０の圧入方向に分離形成した２個の凸部１７を有する棒状の端子１０を圧入状態で固定し、この端子１０の一端部にコイル７、８の端部１８を絡げて半田付けして電気的に接続し、ボビン１を周側部１１と下面部１２からなる磁性金属材料製有底筒状の磁気シールドケース１３内に全体的に収納して地磁気などの磁気的外乱要因を遮断し、端子１０の他端部を回路基板１４に突出させて半田付けして電気的に接続し、コイル７、８に流れる電流量に応じて発生する合成磁界により磁石４を角度運動させるように構成している。ここで端子１０には、その圧入方向に沿って複数の凸部１７が互いに分離した状態で形成されており、凸部１７の各々は端子１０の圧入方向とは直交する側に部分的に突出している。
【００２４】
次に、図１に示した可動磁石式計器の組付方法の一例について説明する。まず、上下に分割可能な合成樹脂製の上側ボビン２および下側ボビン３内に空洞部１５が形成されており、この空洞部１５内に磁石４を配設し、この磁石４の中心に圧入固定した指針軸５をボビン１の上部中央に突設した筒部６から挿出する。指針軸５の下端部は下側ボビン３に軸支する。
【００２５】
続いて、ボビン１の周側部に一体形成した脚部（端子取付部）９の端子圧入孔１６に棒状の各端子１０の一端を、図２（ａ）に図示したように、端子圧入孔１６の一端側から圧入し、端子１０の圧入方向に設けた２個の凸部１７の内、一方の凸部１７が端子圧入孔１６に圧入固定された状態（仮圧入状態）とする。次に、各端子１０の内の一方の一端部にコイル７の一端部１８１を絡げた後、ボビン１の外周にコイル７を巻回し、その後コイル７の他端部１８２を他方の端子１０の一端部に絡げた後、両絡げ部分を半田付けし、端子１０とコイル７とを電気的に導通状態に接続する。なお、コイル８の場合もコイル７の場合と同様、端子１０の仮圧入状態で巻回および電気的な接続が図られるが、コイル７を接続する端子１０とは別の端子（図示しない）を通じて巻回および電気的な接続がなされるもので、後述する端子１０の最終圧入もコイル７の場合と同様である。
【００２６】
続いて、図２（ｂ）に図示したように、ボビン１の周側部に一体形成した脚部（端子取付部）９の端子圧入孔１６に端子１０を更に圧入して、端子１０に設けた２個の凸部１７を端子圧入孔１６に圧入固定（最終圧入状態）する。この時、端子１０に接続されたコイル７の一端部１８１と他端部１８２の双方に弛みを設けることができる。
【００２７】
以上のように、端子１０の一端部にコイル７、８の端部１８を電気的に接続して端子１０をボビン１の端子圧入孔１６に最終圧入状態で固定した後、ボビン１を周側部１１と下面部１２からなる磁性金属材料製有底筒状の磁気シールドケース１３内に全体的に収納して地磁気などの磁気的外乱要因を遮断し、端子１０の他端部を回路基板１４に電気的に接続し、コイル７、８に流れる電流量に応じて発生する合成磁界により磁石４を角度運動させるように構成する。
【００２８】
図３は本発明の第２の実施例を示し、本実施例では、端子１０の圧入方向に凸部１７を７個設け、両端側の凸部１７の高さを中央の５個の凸部１７の高さより低く形成した。そして、図３（ａ）に図示したように、ボビン１の周側部に一体形成した脚部９の端子圧入孔１６に棒状の端子１０の一端を端子圧入孔１６の一端側から圧入し、端子１０に設けた７個の凸部１７の内１個の凸部１７が端子圧入孔１６の他端側から突出し、３個の凸部１７が端子圧入孔１６に圧入固定された状態（仮圧入状態）とし、この状態でコイル７、８の絡げや巻回、電気的な接続を図る。
【００２９】
続いて、図３（ｂ）に図示したように、ボビン１の周側部に一体形成した脚部９の端子圧入孔１６に端子１０を更に圧入して、端子１０に設けた中央の３個の凸部１７を端子圧入孔１６に圧入固定（最終圧入状態）する。この時、前記第１の実施例と同様、コイル７、８に弛みが形成される。なお、この実施例の場合、端子１０の両端側に位置する凸部１７は圧入には関与せず、その一方の凸部１７がコイル７、８の絡げ保持部となる。
【００３０】
なお、端子１０は、角柱や丸棒などの棒状部材や板状部材等の適宜の導電性材料を用いれば良く、端子１０に設ける凸部１７の形成は、棒状部材を用いる場合には金型などにより側面からつぶし加工を行うことで適宜の凸部１７形状を形成でき、板状部材を用いる場合には板状部材をプレス加工する際に適宜の凸部１７形状を形成すれば良い。
【００３１】
また、端子１０の圧入方向に設ける凸部１７の個数は、端子１０の圧入方向に沿って少なくとも２個あればよく、その突出方向にしても端子１０の外周に適宜の個数設ければよい。つまり、前述したように、最低１個の凸部１７を端子圧入孔１６に圧入固定（仮圧入状態）して端子１０を安定固定し、この状態でコイル７、８の端部１８を端子１０の端部に絡げて半田付けし、その後、端子１０を更に適宜圧入して最低２個の凸部１７を端子圧入孔１６に圧入固定（最終圧入状態）して、コイル７、８に適宜な弛みを設けて端子１０をボビン１に安定した状態で固定できれば良い。従って、凸部１７の個数や凸部１７の形状は適宜設定すれば良い。
【００３２】
以上のように、前記第１、第２の実施例では、端子１０の仮圧入時に、最低１個の凸部１７が圧入固定状態にあり、端子１０がボビン１に安定固定された状態でコイル７、８の端部１８を端子１０の端部に絡げて半田付けすることができ、その後、最終圧入時には、最低２個の凸部１７が圧入固定状態にあり、従来のように凸部１７を１個設けた場合に、この１個の凸部１７を支点にして端子１０が圧入方向と直角方向に傾いてコイル７、８の端部１８を引っ張って断線させるような状態を確実に解消することができる。
【００３３】
また、ボビン１の端子圧入孔１６に圧入固定される端子１０の圧入方向に設けた複数の凸部１７の形状を互いに異なる形状にする。例えば、その突出形状を凸部１７毎に異ならせたり、端子１０の外周方向に設ける各凸部１７の突出方向を異ならせてもよく、このようにすることで、各々の凸部１７の圧入状態をより強固で安定した状態にすることができる。
【００３４】
また、ボビン１の端子圧入孔１６に圧入固定される端子１０の形状を圧入方向に対して前後対称形状に形成することで、ボビン１に端子１０を圧入する際に、端子１０に方向性がないから両端部のどちら側から圧入しても良く、圧入作業が容易となる。特に、自動機による圧入の場合には、より効果的である。
【００３５】
【発明の効果】
以上、本発明によれば、端子を安定した状態でボビンに固定し、端子のコイル接続部でのコイルの弛みを確実に確保して、端子のコイル接続部における電気的接続不良の発生を防止することができる可動磁石式計器およびその組付方法を提供することができる。
【図面の簡単な説明】
【図１】本発明の第１の実施例に係わる可動磁石式計器の概略全体構成を示す断面図である。
【図２】本発明の第１の実施例に係わるボビンへの端子圧入工程を説明する概念図である。
【図３】本発明の第２の実施例に係わるボビンへの端子圧入工程を説明する概念図である。
【図４】従来の可動磁石式計器の概略全体構成を示す断面図である。
【図５】従来の他の可動磁石式計器の概略全体構成を示す断面図である。
【図６】従来の他の可動磁石式計器に用いる端子を示す平面図である。
【符号の説明】
１      ボビン
４      磁石
７      コイル
８      コイル
９      端子取付部
１０      端子
１７      凸部
【図１】
2004151033.tif 000003
【図２】
2004151033.tif 000004
【図３】
2004151033.tif 000005
【図４】
2004151033.tif 000006
【図５】
2004151033.tif 000007
【図６】
2004151033.tif 000008